(57)【要約】【課題】  従来の遊技機では、腰部パネルを構成する情報表示部材や保護パネルの取替作業に手間がかかった。【解決手段】  保護パネル６１、遊技シート６２、および保護パネル６３が、腰部フレーム７およびパネル固定部材８によって一体化されて構成された腰部パネル６は、前面ドア４に前方から取り付けられる。腰部パネル６は、腰部フレーム７の上辺部および下辺部に設けられたフック７１ａが、腰部フレームベース４１に形成された係止孔４１ａに嵌め込まれ、また、嵌入孔４１ｂに嵌入片７１ｂが嵌入して、腰部フレームベース４１に固定される。そして、腰部フレームベース４１の係止孔４１ａからフック７１ａを引き抜くと共に、嵌入孔４１ｂに嵌入した嵌入片７１ｂを嵌入孔４１ｂから引き抜くことにより、腰部フレームベース４１から腰部パネル６を取り外すことができる。【選択図】  図２６
2006094947.tif 000002
【特許請求の範囲】
【請求項１】
遊技に用いられる機器を収納する筐体と、
この筐体前面に開閉自在に設けられた扉体と、
この扉体の腰部の前面領域に情報を表示する面発光手段とを備え、
前記面発光手段は、前記情報が描かれた情報表示部材と、
この情報表示部材を保護する保護部材と、
前記情報表示部材の後方に設けられた光源と、
この光源から発光された光を前記情報表示部材に導く導光部と、
前記情報表示部材および前記保護部材を支持する支持部材とを備え、
前記光源および前記導光部は前記筐体に設けられ、前記支持部材は着脱自在に前記扉体に設けられていることを特徴とする遊技機。
【請求項２】
前記支持部材は、前記扉体の前面と対向する背面に沿って前記情報表示部材を移動させる溝と、
この溝に沿って移動する前記情報表示部材を前記支持部材から出し入れする開口とを備えることを特徴とする請求項１に記載の遊技機。
【請求項３】
前記支持部材は、前記扉体に係合する弾性を有する係合片と、
前記扉体に差し込まれる差込片とを備えることを特徴とする請求項１または請求項２に記載の遊技機。
【請求項４】
前記支持部材は、前記扉体の前面と対向する背面に沿って前記保護部材を移動させる溝と、
この溝に沿って移動する前記保護部材を前記支持部材から出し入れする開口と、
この開口を塞ぐ閉塞部材とを備えることを特徴とする請求項１から請求項３の何れか１項に記載の遊技機。
【請求項５】
前記支持部材は、前記扉体の前面と対向する背面に、前記保護部材の周囲を固定する複数の係止片からなる固定手段を備えることを特徴とする請求項１から請求項４の何れか１項に記載の遊技機。
【発明の詳細な説明】
【技術分野】
【０００１】
本発明は、筐体の腰部の扉体の前面領域に情報を表示する面発光手段を備える遊技機に関するものである。
【背景技術】
【０００２】
従来、このような遊技機としては、例えば、リールの回転を遊技者の操作に応じて停止させるスロットマシンで、いわゆるパチスロ機と称されるものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダル払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
従来のパチスロ機には、筐体の腰部の前面ドアの前面領域に情報を表示する面発光手段を備えるものがある。面発光手段は、遊技機名称等の情報が描かれた情報表示部材である表示シートの前面を、保護部材である保護パネルで覆って構成されている。表示シートの背後には導光板が設けられており、導光板の上方および下方には、冷陰極管が設けられている。前面ドアの裏面には冷陰極管を点灯させるインバータ回路が搭載されており、インバータ回路と冷陰極管とが配線で接続されている。冷陰極管から発光された光は導光板によって表示シート側に照射され、表示シートに描かれた情報が照らし出される。また、パチスロ機には、下記の特許文献１に開示されるように、前面ドアの前方に突出した形状の電飾用のサイドレンズカバーを、前面ドアの両側に備えるものがある。
【特許文献１】特開２００４−２４４４７号公報（段落［００４９］〜［００６１］参照）
【発明の開示】
【発明が解決しようとする課題】
【０００４】
最近のパチスロ機には、表示シート、保護パネル、導光板、および冷陰極管等がリアフレーム等にネジ止めで取り付けられて腰部パネルの背面に保持され、腰部パネルが筐体腰部の一側に軸支され、腰部パネルが前面ドアに対して開閉自在に構成されたものがある。パチスロ機の機種変更の際や保護パネル等に破損が生じた際等には、保護パネルや表示シート等を交換する必要があるが、この構成の場合、交換作業の際には、前面ドアを開いてさらに腰部パネルを前面ドアに対して開き、腰部パネル背面にネジ止めされた保護パネル等を取り外す。次に、新たな保護パネル等を腰部パネル背面にネジ止めして、腰部パネルを前面ドアに対して閉めた後、前面ドアを閉じる。この際、インバータ回路と冷陰極管とを接続する配線は、筐体腰部の一側から腰部パネルにかけて配線されて冷陰極管に接続されるので、保護パネル等の交換作業の際に配線が邪魔になることはないが、保護パネル等の取替作業には上記のように多くの手順を必要として手間がかかった。また、腰部パネルを軸から取り外して作業する際に、腰部パネルを落として保護パネルや配線に傷が付く虞があった。
【０００５】
また、特許文献１に開示されるように、前面ドアの両側にサイドレンズカバーのような突出部を備えるパチスロ機では、突出部が邪魔になり、筐体腰部の一側に腰部パネルを軸支して前面ドアに対して開閉自在とする構成にすることができなかった。従って、特許文献１に開示されたパチスロ機では、面発光手段を構成する保護パネルや冷陰極管等が取り付けられた腰部パネルを前面ドアから着脱することにより、保護パネル等の交換作業を行う。しかし、このような構成では、腰部パネルを前面ドアから取り外した状態で交換作業が行われ、取り外した腰部パネルとの間に十分な間隔が必要となり、冷陰極管に接続される配線をある程度長くする必要がある。このため、前面ドアの開閉や保護パネル等の着脱作業に際して配線が邪魔になる。
【課題を解決するための手段】
【０００６】
本発明はこのような課題を解決するためになされたもので、遊技に用いられる機器を収納する筐体と、この筐体前面に開閉自在に設けられた扉体と、この扉体の腰部の前面領域に情報を表示する面発光手段とを備え、面発光手段は、情報が描かれた情報表示部材と、この情報表示部材を保護する保護部材と、情報表示部材の後方に設けられた光源と、この光源から発光された光を情報表示部材に導く導光部と、情報表示部材および保護部材を支持する支持部材とを備え、光源および導光部は筐体に設けられ、支持部材は着脱自在に扉体に設けられていることを特徴とする。
【０００７】
この構成によれば、遊技機の機種変更の際や、破損した情報表示部材および保護部材を交換する際に、情報表示部材および保護部材を支持する支持部材を扉体に対して着脱することができる。また、情報表示部材および保護部材を支持する支持部材に配線が接続されておらず、扉体からの支持部材の着脱の際に配線が扉体側に出ないので、配線を気にせずに作業を行える。また、情報表示部材または保護部材を交換する際に、光源や導光部を取り外す必要がないので、光源や導光部を落として傷つけるのを防止できる。また、扉体の両側にサイドレンズカバー等の突出部を備える場合にも、突出部が邪魔にならずに情報表示部材および保護部材を支持する支持部材を着脱できる。従って、機種変更の際や、情報表示部材や保護部材が破損した際の、情報表示部材や保護部材の交換作業を容易にできる。しかも、情報表示部材のみを交換することができるので、機種変更の際に筐体や扉体を再使用できる。
【０００８】
また、本発明は、支持部材は、扉体の前面と対向する背面に沿って情報表示部材を移動させる溝と、この溝に沿って移動する情報表示部材を支持部材から出し入れする開口とを備えることを特徴とする。
【０００９】
この構成によれば、支持部材の溝に沿って情報表示部材を移動させて開口から出し入れするという簡単な作業で、情報表示部材を交換でき、機種変更の際や、情報表示部材が破損した際の、情報表示部材の交換作業を容易にできる。
【００１０】
また、本発明は、支持部材は、扉体に係合する弾性を有する係合片と、扉体に差し込まれる差込片とを備えることを特徴とする。
【００１１】
この構成によれば、支持部材の差込片を扉体に差し込んで支持部材を扉体の前面側に置いた状態で、支持部材を扉体側に押し込むことにより、支持部材の係合片を扉体に係合させて、支持部材を扉体に取り付けることができる。従って、支持部材自体の着脱が容易に行なえ、機種変更の際や、情報表示部材が破損した際の、情報表示部材の交換作業をより容易にできる。
【００１２】
また、本発明は、支持部材は、扉体の前面と対向する背面に沿って保護部材を移動させる溝と、この溝に沿って移動する保護部材を支持部材から出し入れする開口と、この開口を塞ぐ閉塞部材とを備えることを特徴とする。
【００１３】
この構成によれば、保護部材を開口から溝に沿って挿入して支持部材の背面に取り付けてから、閉塞部材で開口を塞ぐことにより、保護部材を支持部材の背面に取り付けることができる。また、閉塞部材を取り除いて開口を開放してから、溝に沿って保護部材を移動させて開口から出すことにより、保護部材を支持部材から取り外すことができる。このため、簡単な作業で、保護部材を交換でき、機種変更の際や、保護部材が破損した際の、保護部材の交換作業を容易にできる。
【００１４】
また、本発明は、支持部材は、扉体の前面と対向する背面に、保護部材の周囲を固定する複数の係止片からなる固定手段を備えることを特徴とする。
【００１５】
この構成によれば、保護部材の周囲を係止片に係止させることにより、保護部材を固定手段で固定し、また、係止片による係止を解くことにより、固定手段による保護部材の固定を解除できる。このため、保護部材を支持部材に容易に着脱できるようになり、保護部材の交換作業を容易にすることができる。
【発明の効果】
【００１６】
このような本発明によれば、上記のように、機種変更の際や、情報表示部材が破損した際の、情報表示部材の交換作業を容易にできる。また、機種変更の際に筐体や扉体を再使用できる。
【発明を実施するための最良の形態】
【００１７】
図１は本実施形態によるパチスロ機１の外観を示す一部分解斜視図、図２はリール表示窓部１１を取り外した状態のパチスロ機１の正面図、図３はパチスロ機１から取り外された前面ドア４の側面図である。なお、これら各図において、同一または相当する部分には、同一符号を付している。
【００１８】
パチスロ機１は、図１に示すように、筐体１ａの前面開口が扉体である前面ドア４で塞がれて覆われている。前面ドア４は、筐体１ａの前面の一側に片側が開閉自在に軸支されている。筐体１ａの内部の中央部には回転自在に３個のリールが設けられている（図示せず）。各リールの外周面には複数種類の図柄（以下、シンボルという）から成るシンボル列が描かれている。また、筐体１ａには、パチスロ機１による遊技動作を制御する制御回路が構成された制御基板をはじめ、遊技に用いられる各種機器が収納されている。
【００１９】
前面ドア４の正面やや上方にはリール表示窓部１１が設けられている。リール表示窓部１１に形成された３個のリール表示窓を通して、筐体１ａ内の各リールの外周面に描かれたシンボルがそれぞれ３個ずつ観察される。リール表示窓部１１の背後には、液晶パネル等が配置されており、液晶パネルに表示される種々の遊技情報や遊技演出画像が、このリール表示窓部１１を通して視認される。また、リール表示窓部１１には、横３本と斜め２本の計５本の入賞ラインが設けられている場合がある。また、表示窓の下方右側には、遊技者が遊技媒体であるメダルを入れるための投入口１２が設けられている。
【００２０】
ゲーム開始に先立って、遊技者がメダル投入口１２から１枚のメダルを投入したときは、中央の横１本の入賞ラインが有効化される。また、２枚投入したときは、これに上下の横２本の入賞ラインが加わって横３本の入賞ラインが有効化される。また、３枚投入したときは、５本の入賞ラインの全てが有効化される。
【００２１】
図１，図２に示すように、リール表示窓部１１の左方には、上部から、役物回数表示器１３、３個の遊技メダル投入枚数表示ランプ１４ａ〜１４ｃ、遊技メダル払出枚数表示器１５、遊技メダル貯留枚数表示器１６が設けられている。役物回数表示器１３は３桁の７セグメントＬＥＤ（発光ダイオード）からなり、ボーナスゲーム入賞時に、ＲＢゲームおよびジャックゲームの残り入賞可能回数をデジタル表示する。遊技メダル投入枚数表示ランプ１４ａ，１４ｂ，１４ｃはメダルの投入枚数３枚，２枚，１枚に応じて点灯する。遊技メダル払出枚数表示器１５は２桁の７セグメントＬＥＤからなり、入賞によるメダル払い出し枚数を表示する。遊技メダル貯留枚数表示器１６は２桁の７セグメントＬＥＤからなり、機械内部に現在クレジットされているメダル数を表示する。また、遊技メダル貯留枚数表示器１６の下方には、左側から、遊技メダル投入ランプ１７ａ、遊技開始表示ランプ１７ｂ、遊技停止表示器（ウエイトランプ）１７ｃ、再遊技表示器１７ｄ、当たり表示ランプ（ＷＩＮランプ）１７ｅが設けられており、これらはＬＥＤによって構成されている。遊技メダル投入ランプ１７ａは、メダルの投入が受け付け可能なときに点灯する。遊技開始表示ランプ１７ｂは、リールが回転可能なときに点滅する。遊技停止表示器（ウエイトランプ）１７ｃは、前回のリール回転から今回のリール回転までの時間が４．１秒未満のとき等に点灯する。再遊技表示器１７ｄは、リプレイが作動したときに点灯する。当たり表示ランプ（ＷＩＮランプ）１７ｅはＢＢ中にＲＢが内部当たりした遊技終了時等に点灯する。図１および図４に示すリール表示窓部１１の左方には、これらのランプや表示器に関する情報を表す絵柄等の情報が表示されている。これらの情報は、リール表示窓部１１を構成する保護パネルの背後の表示パネルに描かれている。
【００２２】
リール表示窓部１１の下方左側には、１貯留メダル投入スイッチ１９ａ、２貯留メダル投入スイッチ１９ｂ、３貯留メダル投入スイッチ１９ｃ、選択ボタン２０ａ、および決定ボタン２０ｂが設けられている。貯留メダル投入スイッチ１９ａ〜１９ｃは、遊技メダル貯留枚数表示器１６にメダル数が表示されてメダルがクレジットされている際に、メダル投入口１２へのメダル投入に代えて１回のゲームに１〜３枚のメダルを賭ける際に使用される。選択ボタン２０ａは、液晶表示パネルにおける表示項目の選択に用いられる。決定ボタン２０ｂは、選択ボタン２０ａで選択された液晶表示パネルにおける表示項目の決定に用いられる。
【００２３】
また、リール表示窓部１１のさらに下方には、左側から、スタートレバー２１、および停止ボタン２２ａ〜２２ｃが設けられている。スタートレバー２１の操作により各リールの回転が一斉に開始する。停止ボタン２２ａ〜２２ｃは、各リールに対応して配置されており、これら各リールの回転が一定速度に達したとき操作が有効化され、遊技者の操作に応じて各リールの回転を停止する。
【００２４】
また、前面ドア４の正面下部には腰部パネル６が設けられており、この腰部パネル６の下方にはメダル受皿２５が設けられている。腰部パネル６は、保護パネル６１、遊技シート６２、保護パネル６３、および腰部フレーム７から構成されており、腰部フレーム７の右辺部にはパネル固定部材８が取り付けられる（図７参照）。メダル受皿２５はメダル払出口２６から払い出されるメダルを貯めるものである。また、図１〜図３の各図に示すように、パチスロ機１の正面上部には、上部装飾ランプを覆う上部装飾ランプカバー１ｂが取り付けられている。上部装飾ランプカバー１ｂの下方中央には、入賞に対してどれだけのメダルが払い出されるかを示す配当表示部２７が設けられている。配当表示部２７の両側方には、スピーカから出力される音が放音される放音口が形成されたスピーカカバー２８，２８が設けられている。また、前面ドア４の前面の左側部および右側部には、サイドレンズカバー５が取り付けられている。
【００２５】
図４は腰部パネル６を取り除いた状態のパチスロ機１を示す正面図である。
【００２６】
前面ドア４の中央部に設けられた停止ボタン２２ａ〜２２ｃ等の下方には、上述した腰部パネル６の取り付けられる腰部フレームベース４１が設けられており、さらにその下方には、上述したメダル受皿２５等が設けられている。
【００２７】
腰部フレームベース４１の上辺部の両側部および中央部には、腰部パネル６を構成する後述する腰部フレーム７のフック７１ａが係止する係止孔４１ａが３個設けられている。腰部フレームベース４１の下辺部の両側部には、腰部フレーム７のフック７１ａが係止する係止孔４１ａが２個設けられている。また、腰部フレームベース４１の上辺部の各係止孔４１ａ間には、後述する腰部フレーム７の嵌入片７１ｂが嵌入する嵌入孔４１ｂが、それぞれ１個ずつ設けられている。
【００２８】
腰部パネル６の背後には、図１に示す導光板６４と冷陰極管６５とが設けられている。導光板６４は、腰部パネル６の外形とほぼ同様の大きさの外形を有する四角板状に形成されており、腰部フレームベース４１に取り付けられた腰部パネル６の背後に位置するように筐体１ａに取り付けられている。導光板６４は、その上方および下方に取り付けられている冷陰極管６５から発光された光を腰部パネル６の背面および前面に導く導光部を構成している。また、前面ドア４の右側部の前面には鍵差込部４５が設けられている。
【００２９】
図５は前面ドア４を前方右側から見た分解斜視図、図６は前面ドア４を構成するベースドア４ａを前方右側から見た斜視図である。
【００３０】
図５に示すように、前面ドア４は、上述したスタートレバー２１等の操作部や、サイドレンズカバー５等の各部材を土台となるベースドア４ａに取り付けて構成されている。ベースドア４ａは、図６に示され、前面ドア４の筐体１ａ前面と対向する背面側を構成している。ベースドア４ａのリール表示窓部１１が取り付けられる、その上部装飾ランプカバー１ｂ取付領域を除く正面上半部は、表示窓フレームベース４６になっており、表示窓フレームベース４６は、リール表示窓部１１の枠である表示窓フレームの外形とほぼ同様の形状の四角枠状に形成されている。表示窓フレームベース４６の上辺部および下辺部には、表示窓フレームの上端部および下端部に形成された図示しないフックが係止する係合孔４６ｂが設けられている。表示窓フレームベース４６の内側の左端部は、上述した各ランプや表示器が取り付けられる取付ベース４６ａの領域になっている。また、表示窓フレームベース４６の上方は、上部装飾ランプカバー１ｂが取り付けられる上部ベース４ｂの領域になっている。上部ベース４ｂの上辺部および下辺部には、上部装飾ランプカバー１ｂに設けられたフックが嵌入する嵌入孔４ｂ１が２個ずつ設けられている。
【００３１】
また、ベースドア４ａの高さ方向中央部には、後述する操作部カバー２３が取り付けられる操作部カバー取付部４ｃの領域が設けられている。操作部カバー取付部４ｃの下方のベースドア４ａの腰部は、腰部パネル６が取り付けられる腰部フレームベース４１の領域になっている。腰部フレームベース４１は、腰部フレーム７の外形とほぼ同様の形状の四角枠状に形成されている。腰部フレームベース４１の上辺部および下辺部には、上述した係止孔４１ａおよび嵌入孔４１ｂが設けられている。
【００３２】
また、ベースドア４ａの両側部には、上述したサイドレンズカバー５が取り付けられる。サイドレンズカバー５の背面には図５に示すようにサイドレンズ５１が取り付けられる。このサイドレンズ５１の背後のベースドア４ａの領域は、複数のＬＥＤが設けられた図示しないＬＥＤ基板が取り付けられる図６に示すＬＥＤ基板取付部４ｄとなっている。
【００３３】
図５に示すように、スタートレバー２１は、その操作方向を検知するセンサ等と一体化されたスタートレバーユニットとして、操作部カバー２３の左側下部の取付孔２３ａを介してベースドア４ａに取り付けられる。停止ボタン２２ａ〜２２ｃは、停止ボタンユニット２２として一体化されて、操作部カバー２３の下部中央に設けられた取付孔２３ｂを介してベースドア４ａに取り付けられる。各メダル投入スイッチ１９ａ〜１９ｃおよび各ボタン２０ａ、２０ｂは、これらの操作を検知するセンサ等と一体化されたユニットとなっており、取付板１９に取り付けられる。取付板１９は、操作部カバー２３上部の台座２３ｃに取り付けられて、各メダル投入スイッチ１９ａ〜１９ｃおよび各ボタン２０ａ、２０ｂが、台座２３ｃに設けられた取付孔２３ｄを介してベースドア４ａに取り付けられる。メダル投入口１２は、メダル投入口１２から投入されたメダルをパチスロ機１内部に導く導入路と、導入路を通過するメダルを検知するセンサ等とが一体化された投入機構部１２ａの一部を構成している。投入機構部１２ａは、操作部カバー２３の右側に設けられた投入機構部取付孔２３ｅからメダル投入口１２が露出するように投入機構部取付孔２３ｅに取り付けられる。
【００３４】
メダル受皿２５は、コインガードプレート２５ａを挟んでベースドア４ａ前面の下部に取り付けられる。コインガードプレート２５ａは、メダル受皿２５内に落下したメダルからベースドア４ａ前面を保護するためのものである。
【００３５】
図７は腰部フレームベース４１に取り付けられる腰部パネル６の分解斜視図である。また、図８〜図１４は保護パネル６１，６３および遊技シート６２を支持していない状態での腰部フレーム７を示す図であり、図８は腰部フレーム７の前方右側からの斜視図、図９は腰部フレーム７を前面側から見た正面図、図１０は腰部フレーム７を左側から見た側面図、図１１は腰部フレーム７を右側から見た側面図、図１２は腰部フレーム７を上方から見た平面図、図１３は腰部フレーム７を下方から見た底面図、図１４は腰部フレーム７を背面側から見た背面図である。
【００３６】
腰部パネル６は、保護パネル６１、遊技シート６２、および保護パネル６３が、この順で腰部フレーム７の背面側に積層されて構成されており、腰部フレーム７によって腰部フレームベース４１に支持される。保護パネル６１、遊技シート６２、保護パネル６３、および腰部フレーム７は、上述した冷陰極管６５および導光板６４と共に、面発光手段を構成している。遊技シート６２は、アクリル製の透明樹脂から略四角板状に形成された情報表示部材であり、前面にはパチスロ機１の名称等を表す情報が描かれている。保護パネル６１，６３は、遊技シート６２を保護するための保護部材であり、アクリル製の透明樹脂から略四角板状に形成されている。遊技シート６２および保護パネル６１，６３は、腰部フレーム７よりもやや小さな外形を有する四角板状を呈している。腰部フレーム７は、保護パネル６１，６３および遊技シート６２を支持する支持部材である。
【００３７】
図７〜図９，および図１４に示すように、腰部フレーム７は、腰部フレームベース４１の内周縁とほぼ同じサイズの外形を有する四角枠状を呈している。図８，および図１０〜図１３に示すように、腰部フレーム７の周縁部に沿った各辺部は略Ｌ字状の断面を有しており、下辺部の両側部にかけて、背面側に長く延びている。腰部フレーム７の上辺部の両側部および中央部には、腰部フレーム７の背面側に向けて突出して３個のフック７１ａが設けられている。上辺部に設けられたフック７１ａは、弾性を有する係合片を構成している。腰部フレーム７の下辺部で背面側に長く延びた両側部には、腰部フレーム７の背面側に向けて突出した２個のフック７１ａが設けられている。下辺部に設けられたフック７１ａは、前面ドア４の腰部フレームベース４１の下辺部に設けられた係止孔４１ａに差し込まれる差込片を構成している。腰部フレーム７の上辺部の各フック７１ａ間には、腰部フレーム７の背面側に向けて突出して嵌入片７１ｂが設けられている。
【００３８】
図１４に示すように、腰部フレーム７の前面ドア４の前面と対向する背面には、腰部フレーム７の上辺部および同図における右側の辺部に沿って延びる枠部７２、並びに、下辺部に沿って延びる枠部７２が設けられている。各枠部７２も、腰部フレーム７の背面側に突出している。図１１に示すように、腰部フレーム７の上辺部および下辺部に沿った枠部７２の幅方向中央部からは、腰部フレーム７の内周縁側に向けて突条７３が突出している。突条７３の先端は、断面視略Ｖ字状の溝部となっている。腰部フレーム７の背面と突条７３との間で、枠部７２は、腰部フレーム７の背面に沿って保護パネル６１を移動、つまりスライドさせる溝を構成している。また、図１４に示すように、腰部フレーム７の上辺部および下辺部の背面には突条７４が形成されている。突条７４は、枠部７２よりも上辺部および下辺部の外周縁側において、枠部７２に沿って延びている。腰部フレーム７の同図における右側の辺部の高さ方向中央部には、固定片７５が設けられている。固定片７５は、枠部７２の端から腰部フレーム７の内周縁側に向けて突出している。
【００３９】
図８および図１１に示すように、腰部フレーム７の右辺部は腰部フレーム７の背面側へ延びておらず、この右辺部の後縁部、腰部フレーム７の背面、枠部７２、および突条７３によって保護パネル６１を腰部フレーム７の右側から腰部フレーム７の背面に沿って出し入れする開口が構成されている。また、図１４に示すように、腰部フレーム７の同図の左側に位置する右辺部の背面の上端部および下端部には、それぞれ１個のボス７６が設けられている。各ボス７６には後述するパネル固定部材８の上端部および下端部がネジ止めされる。
【００４０】
図１５は保護パネル６１および遊技シート６２が取り付けられた腰部フレーム７の後方左側からの斜視図、図１６は保護パネル６１，６３および遊技シート６２が取り付けられた腰部フレーム７の後方右側からの斜視図、図１７は保護パネル６１，６３および遊技シート６２が取り付けられた腰部フレーム７の側面図である。
【００４１】
図１５および図１７に示すように、腰部フレーム７の背面と突条７３と枠部７２とで構成される溝には、腰部フレーム７の右辺部側（図１５中の左側）から保護パネル６１が差し込まれる。また、腰部フレーム７の背面における上辺部の突条７３のＶ字溝部と下辺部の突条７３とＶ字溝部との間には、腰部フレーム７の右辺部側から遊技シート６２が差し込まれる。腰部フレーム７に収納された遊技シート６２は、これらＶ字状溝部の延設方向に沿ってスライドする。また、図１６および図１７に示すように、突条７３よりも前面ドア４側における上辺部の枠部７２と下辺部の枠部７２との間には、保護パネル６３が差し込まれる。保護パネル６３は、その前面側の周囲を突条７３で支持され、また、左縁部の中央部分を固定片７５で支持される。
【００４２】
図１８は腰部フレーム７の右辺部に取り付けられるパネル固定部材８の斜視図、図１９はパネル固定部材８をＡ方向から見た図、図２０はパネル固定部材８をＢ方向から見た図、図２１はパネル固定部材８をＣ方向から見た図、図２２はパネル固定部材８をＤ方向から見た図、図２３はパネル固定部材８をＥ方向から見た図、図２４はパネル固定部材８をＦ方向から見た図である。
【００４３】
図１８，図２２，および図２３に示すように、パネル固定部材８は、断面略Ｌ字状を呈しており、腰部フレーム７の右辺部の高さとほぼ同じ高さを有しており、腰部フレーム７の右辺部側の開口を塞ぐ閉塞部材を構成している。図１８，図２０，および図２２に示すように、パネル固定部材８の一辺部にはその高さ方向に沿って遊技シート６２の高さよりもやや長いスリット８１が形成されている。また、図１９〜図２２に示すように、パネル固定部材８の他辺部の上端部および下端部には、矩形状に切り欠かれた切欠部８２が形成されている。この切欠部８２の上端側および下端側には、パネル固定部材８を腰部フレーム７のボス７６にネジ止めするための開口８３が設けられている。
【００４４】
図１８，図１９，および図２２〜図２４に示すように、両切欠部８２で挟まれたパネル固定部材８の他辺部の先端には、当接片８６が設けられている。当接片８６は、パネル固定部材８の一辺部と平行に設けられており、図１９および図２２に示すように、その上端部および下端部には、矩形状に切り欠かれた切欠部８４が形成されている。この切欠部８４には、支持片８５がＬ字状に突出している。
【００４５】
図２５は一体化された腰部パネル６の側面図、図２６は一体化された腰部パネル６の後方右側からの斜視図である。
【００４６】
パネル固定部材８は、保護パネル６１，６３および遊技シート６２が取り付けられた図１６に示す状態の腰部フレーム７の側部に取り付けられる。この際、パネル固定部材８は、開口８３を介して、腰部フレーム７のボス７６にネジ止めされて、図２５に示すように、腰部フレーム７の右辺部に取り付けられる。腰部フレーム７の右辺部に取り付けられたパネル固定部材８は、スリット８１が腰部フレーム７の右側方に開口しており、スリット８１からは突条７３の端部が覗かれる。また、スリット８１には、パネル固定部材８に設けられた当接片８６が覗かれる。また、図２６に示すように、支持片８５および固定片７５は、腰部フレーム７に取り付けられた保護パネル６３の周囲を背面側から支持する。この際、当接片８６には、保護パネル６３の正面右側の外周端部が当接する。支持片８５および固定片７５は、前面ドア４の前面と対向する腰部フレーム７の背面において、保護パネル６３の周囲を固定する複数の係止片に相当している。本実施形態では、固定手段を構成するこれら係止片は、保護パネル６３の周囲として、図２６に示すように、保護パネル６３の背面左端側の外周端部の上下および背面右端側の外周端部中央を固定している。
【００４７】
腰部パネル６は、保護パネル６１、遊技シート６２、および保護パネル６３が、腰部フレーム７およびパネル固定部材８によって一体化されて構成され、図４に示す前面ドア４に前方から、前面ドア４の前面領域を構成する腰部フレームベース４１に取り付けられる。この際、腰部フレーム７の下辺部のフック７１ａを腰部フレームベース４１の下辺部の係止孔４１ａに差し込んで腰部フレーム７を前面ドア４の前面側に置いた状態で、腰部フレーム７の上部を前面ドア４側に押し込むことにより、上辺部のフック７１ａが撓んで腰部フレームベース４１の上辺部に形成された係止孔４１ａに嵌め込まれ、また、嵌入孔４１ｂに嵌入片７１ｂが嵌入して、フレームは腰部フレームベース４１に取り付けられる。また、腰部フレームベース４１から腰部パネル６を取り外すには、上辺部のフック７１ａを撓ませ、腰部フレームベース４１の上辺部の係止孔４１ａへの係止を解いて係止孔４１ａからフック７１ａを引き抜く。
【００４８】
上述した本実施形態によるパチスロ機１では、腰部フレーム７のフック７１ａおよび嵌入片７１ｂを、前面ドア４の前側から係止孔４１ａおよび嵌入孔４１ｂに抜き差しすることにより、保護パネル６１、遊技シート６２、および保護パネル６３を支持する腰部フレーム７を前面ドア４の腰部フレームベース４１に着脱できる。また、遊技シート６２および保護パネル６１，６３を支持する腰部フレーム７に配線が接続されておらず、前面ドア４からの腰部フレーム７の着脱の際に配線が前面ドア４側に出ないので、配線を気にせずに作業を行える。また、遊技シート６２や保護パネル６１，６３を交換する際に、冷陰極管６５や導光板６４を取り外す必要がないので、冷陰極管６５や導光板６４を落として傷つけるのを防止できる。また、前面ドア４の両側にサイドレンズカバー５等の突出部を備える場合にも、突出部が邪魔にならずに遊技シート６２や保護パネル６１，６３を支持する腰部フレーム７を着脱できる。従って、機種変更の際や、遊技シート６２や保護パネル６１，６３が破損した際の、遊技シート６２や保護パネル６１，６３の交換作業を容易にできる。しかも、遊技情報表示パネル６２のみを交換することができるので、パチスロ機１の機種変更の際に筐体１ａや前面ドア４を再使用できる。
【００４９】
また、本実施形態によるパチスロ機１では、腰部フレーム７の突条７３の先端のＶ字状溝部に沿って遊技シート６２を移動させてスリット８１から出し入れするという簡単な作業で、遊技シート６２を交換でき、パチスロ機１の機種変更の際や、遊技シート６２が破損した際の、遊技シート６２の交換作業を容易にできる。
【００５０】
また、本実施形態によるパチスロ機１では、腰部フレーム７の下辺部のフック７１ａを前面ドア４の係止孔４１ａに差し込んで腰部フレーム７を前面ドア４の前面側に置いた状態で、腰部フレーム７の上部を前面ドア４側に押し込むことにより、腰部フレーム７の上辺部のフック７１ａを前面ドア４の係止孔４１ａに係合させて、腰部フレーム７を前面ドア４に取り付けることができる。従って、腰部フレーム７自体の着脱が容易に行なえ、パチスロ機１の機種変更の際や、遊技シート６２や保護パネル６１，６３が破損した際の遊技シート６２や保護パネル６１，６３の交換作業をより容易にできる。
【００５１】
また、本実施形態によるパチスロ機１では、保護パネル６１を腰部フレーム７の背面と突条７３との間の溝に沿って挿入して腰部フレーム７の背面に取り付けてから、パネル固定部材８を腰部フレーム７に取り付けることにより、保護パネル６１を腰部フレーム７の背面に取り付けることができる。また、パネル固定部材８を腰部フレーム７から取り外してから、腰部フレーム７の背面と突条７３との間の溝に沿って保護パネル６１を移動させることにより、保護パネル６１を腰部フレーム７から取り外すことができる。このため、簡単な作業で、保護パネル６１を交換でき、パチスロ機１の機種変更の際や、保護パネル６１が破損した際の、保護パネル６１の交換作業を容易にできる。
【００５２】
また、本実施形態によるパチスロ機１では、保護パネル６３の周囲を固定片７５および支持片８５に係止させることにより、保護パネル６３を腰部フレーム７の背面に固定し、また、固定片７５および支持片８５による係止を解くことにより、保護パネル６３の腰部フレーム７への固定を解除できる。このため、保護パネル６３を腰部フレーム７に容易に着脱できるようになり、保護パネル６３の交換作業を容易にすることができる。
【００５３】
なお、上記実施の形態では、腰部フレームベース４１の係止孔４１ａに腰部フレーム７のフック７１ａが係止し、嵌入孔４１ｂに嵌入片７１ｂが嵌入して腰部パネル６が前面ドア４に取り付けられる場合について説明した。しかし、腰部フレームベース４１の係止孔４１ａにフック７１ａが係止して腰部パネル６が前面ドア４に取り付けられるのであれば、腰部フレーム７に設けられるフック７１ａおよび嵌入片７１ｂの数量および取付位置は任意であり、適宜変更して差し支えない。例えば、腰部フレーム７の左辺部および右辺部にフック７１ａおよび嵌入片７１ｂを設けてもよい。また、腰部パネル６の前面ドア４への取付方法や、腰部フレーム７への保護パネル６１，６３や遊技シート６２の取り付け方法も任意であり、適宜変更して差し支えない。また、腰部フレーム７の形状等も任意であり適宜変更して差し支えない。
【産業上の利用可能性】
【００５４】
上記実施形態においては、本発明による遊技機をスロットマシンに適用した場合について説明したが、筐体の腰部の前面ドアの前面領域に情報を表示する面発光手段を備える他の遊技機に本発明を適用することも可能である。このような遊技機に本発明を適用した場合においても上記実施形態と同様な作用効果が奏される。
【図面の簡単な説明】
【００５５】
【図１】本発明の一実施形態によるパチスロ機の外観を示す分解斜視図である。
【図２】図１に示すパチスロ機の正面図である。
【図３】図１に示すパチスロ機の側面図である。
【図４】腰部パネルを取り除いた状態のパチスロ機を示す正面図である。
【図５】前面ドアを前方右側から見た分解斜視図である。
【図６】前面ドアを構成するベースドアを前方右側から見た斜視図である。
【図７】図２に示す腰部パネルの分解斜視図である。
【図８】図７に示すフレームの前方右側からの斜視図である。
【図９】図８に示すフレームの正面図である。
【図１０】図８に示すフレームの左側面図である。
【図１１】図８に示すフレームの右側面図である。
【図１２】図８に示すフレームの平面図である。
【図１３】図８に示すフレームの底面図である。
【図１４】図８に示すフレームの背面図である。
【図１５】保護パネルおよび遊技シートが取り付けられた図８に示すフレームの後方右側からの斜視図である。
【図１６】保護パネルおよび遊技シートが取り付けられた図８に示すフレームの後方左側からの斜視図である。
【図１７】保護パネルおよび遊技シートが取り付けられた図８に示すフレームの右側面図である。
【図１８】図７に示すパネル固定部材の斜視図である。
【図１９】図１８に示すパネル固定部材を図７中のＡ方向から見た図である。
【図２０】図１８に示すパネル固定部材を図７中のＢ方向から見た図である。
【図２１】図１８に示すパネル固定部材を図７中のＣ方向から見た図である。
【図２２】図１８に示すパネル固定部材を図７中のＤ方向から見た図である。
【図２３】図１８に示すパネル固定部材を図７中のＥ方向から見た図である。
【図２４】図１８に示すパネル固定部材を図７中のＦ方向から見た図である。
【図２５】腰部パネルの右側面図である。
【図２６】腰部パネルの後方左側からの斜視図である。
【符号の説明】
【００５６】
１…パチスロ機
１ａ…筐体
１ｂ…上部装飾ランプカバー
４…前面ドア
４１…腰部フレームベース
４１ａ…係止孔
４１ｂ…嵌入孔
６…腰部パネル
６１…保護パネル
６２…遊技シート
６３…保護パネル
７…腰部フレーム
７１ａ…フック
７１ｂ…嵌入片
７２…枠部
７３…突条
７５…固定片
８…パネル固定部材
８１…スリット
８５…支持片
８６…切欠部
【図１】
2006094947.tif 000003
【図２】
2006094947.tif 000004
【図３】
2006094947.tif 000005
【図４】
2006094947.tif 000006
【図５】
2006094947.tif 000007
【図６】
2006094947.tif 000008
【図７】
2006094947.tif 000009
【図８】
2006094947.tif 000010
【図９】
2006094947.tif 000011
【図１０】
2006094947.tif 000012
【図１１】
2006094947.tif 000013
【図１２】
2006094947.tif 000014
【図１３】
2006094947.tif 000015
【図１４】
2006094947.tif 000016
【図１５】
2006094947.tif 000017
【図１６】
2006094947.tif 000018
【図１７】
2006094947.tif 000019
【図１８】
2006094947.tif 000020
【図１９】
2006094947.tif 000021
【図２０】
2006094947.tif 000022
【図２１】
2006094947.tif 000023
【図２２】
2006094947.tif 000024
【図２３】
2006094947.tif 000025
【図２４】
2006094947.tif 000026
【図２５】
2006094947.tif 000027
【図２６】
2006094947.tif 000028